(57)【特許請求の範囲】
【請求項１】
建物内に設置された各排水設備と建物の外周基礎の外側地中に埋設された排水桝の流入側接続部との間に内面が平滑で可撓性を有する排水枝管が接続され、この排水枝管が床下空間に露出配管されている住宅用排水システムにおいて、
１個の流出側接続部と１個の流入側接続部からなる継手本体の側壁から相対向して突設された分岐筒部同士が間隔をあけて複数有する管継手が、一方の分岐筒部を上方に、他方を側方に配置して建物の床下に設置され、前記排水枝管は前記流入側接続部と前記相対向した分岐筒部のうちの側方に突設された一方に接続され、上方に突設された他方の分岐筒部は点検口とされると共に、該分岐筒部の口径は継手本体の口径の１／２〜３／４とされ、
前記管継手の流出側に接続された排水枝管が、一端部は外周基礎の外面に開口するとともに、他端部は打設される防湿コンクリートまたは基礎スラブに埋設されて床下の上面に開口するさや管内に挿通されている
ことを特徴とする住宅用排水システム。
【請求項２】
前記さや管の一端部が外周基礎に形成されたボイド孔に支持材を介して固定されている請求項１記載の住宅用排水システム。
【発明の詳細な説明】
【０００１】
【発明の属する技術分野】
本発明は、住宅用排水システムに関するものである。
【０００２】
【従来の技術】
一般に、戸建住宅においては、図７に示すように、建物２内に設置されたトイレ、洗面所、洗濯機、浴室、台所などに設けられた各排水設備２１，２２，２３，２４，２５にて発生した排水は、各排水設備２１〜２５にそれぞれ接続された排水枝管５を経て建物２の外側に埋設された各排水桝６に流れ込んだ後、排水桝６，６間を接続している宅地１内の排水主管３を通じて公共桝７に流れ込み、この公共桝７を経て公道下に埋設された下水本管（図示せず）へ排水されるようになっている。
【０００３】
この場合、各種排水設備２１〜２５に接続された排水枝管５は、外周基礎４の内側の防湿コンクリート４１に埋設配管されている。また、宅地１内の排水主管３は建物２の基礎４の外側に埋設配管されており、この排水主管３の曲がり部や合流部に各種タイプの排水桝６が設置されるようになっている。
なお、一般的には排水主管３、排水枝管５および排水桝６はいずれも硬質塩化ビニル樹脂管が使用されている。また、図７において、４２は外周基礎４内を区切っている中基礎である。
【０００４】
【発明が解決しようとする課題】
しかしながら、上述した図７の排水システムの場合、排水枝管５は防湿コンクリート４１に埋設配管されているため、排水枝管５内の点検や清掃がやりにくく、また、排水枝管５が破損した場合、排水枝管５の補修や取り替え作業がきわめて困難である。
【０００５】
また、各排水枝管５がそれぞれ各排水桝６と接続されているので、排水枝管５の本数、つまり、建物内に設置されている排水設備の数に対応した貫通孔を外周基礎４の所定位置に設けなければならず、この貫通孔を設ける作業がたいへんである。しかも、多くの排水桝６を必要とし、材料費や施工費が高くなる。
【０００６】
本発明の目的は、狭い敷地によく適合させることができ、排水枝管内の点検や清掃などの維持管理を容易に行え、しかも、排水枝管の補修や更新を容易に行え、材料費や施工費を削減できる住宅用排水システムを提供することである。
【０００７】
【課題を解決するための手段】
請求項１記載の本発明は、建物内に設置された各排水設備と建物の外周基礎の外側地中に埋設された排水桝の流入側接続部との間に内面が平滑で可撓性を有する排水枝管が接続され、この排水枝管が床下空間に露出配管されている住宅用排水システムにおいて、
１個の流出側接続部と１個の流入側接続部からなる継手本体の側壁から相対向して突設された分岐筒部同士が間隔をあけて複数有する管継手が、一方の分岐筒部を上方に、他方を側方に配置して建物の床下に設置され、前記排水枝管は前記流入側接続部と前記相対向した分岐筒部のうちの側方に突設された一方に接続され、上方に突設された他方の分岐筒部は点検口とされると共に、該分岐筒部の口径は継手本体の口径の１／２〜３／４とされ、
前記管継手の流出側に接続された排水枝管が、一端部は外周基礎の外面に開口するとともに、他端部は打設される防湿コンクリートまたは基礎スラブに埋設されて床下の上面に開口するさや管内に挿通されているものである。
【０００８】
請求項１記載の本発明によれば、内面が平滑で可撓性を有する排水枝管の接続が、１個の流出側接続部と１個の流入側接続部からなる継手本体の側壁から相対向して突設された分岐筒部同士が間隔をあけて複数有する管継手の、一方の分岐筒部を上方に、他方を側方に配置して建物の床下に設置され、前記排水枝管は前記流入側接続部と前記相対向した分岐筒部のうちの側方に突設された一方に接続され、上方に突設された他方の分岐筒部は点検口とされると共に、該分岐筒部の口径は継手本体の口径の１／２〜３／４とされているので、複数の排水設備にて発生した雑排水が各排水枝管を通じて管継手内に流れ込み、管継手内にて合流したのち、管継手の流出側接続部と接続されている排水枝管を通じて排水桝に流れ込むため、建物の外周基礎に設ける貫通孔は少なくて済む。
【０００９】
また、管継手本体の上方に突設された分岐筒部が点検口を兼ねているので、この点検口を利用して、排水枝管内の点検や清掃を作業性よく行える。さらに、排水枝管が床下空間に露出配管されているので、排水枝管が破損した場合、建物の床下空間を利用して、排水枝管の補修や取り替えを容易に行える。
【００１１】
さらに、管継手本体の流出側に接続された排水枝管が、一端部は外周基礎の外面に開口するとともに、他端部は打設される防湿コンクリートまたは基礎スラブに埋設されて床下の上面に開口するさや管内に挿通されているので、排水枝管の補修や更新などを容易に行える。また、所定長さの排水枝管を用いて各排水設備と排水桝との間の配管接続を行える。その際、管継手を介して接続される排水枝管を除いた他の排水枝管の接続個所は２箇所でよく、配管施工に要する工数が少なくて済む。
【００１２】
請求項２記載の本発明は、請求項１記載の住宅用排水システムにおいて、さや管の一端部が、外周基礎に形成されたボイド孔に支持材を介して固定されているものである。
【００１３】
請求項２記載の本発明によれば、さや管に排水枝管を円滑に導くことができるように、さや管を外周基礎に対して予め設定された姿勢に固定した状態で床下の防湿コンクリートまたは基礎スラブを打設することができ、容易に施工することができる。
【００１４】
本発明において、管継手は流出側接続部と点検口と２個以上の流入側接続部を備えているものであればよく、その形状や材質などは特に限定されない。たとえば、端部に流入側および流出側接続部を備えた筒状の継手本体の側壁に２個以上の分岐筒部を一体に備えた四方継手あるいはそれ以上の多方継手が望ましい。分岐筒部の口径は継手本体の口径の１／２〜３／４程度とするのがよい。継手本体の流入側および流出側接続部は受口または差口のいずれでもよい。また、分岐筒部の流入側接続部は受口または差口のいずれでもよい。
【００１５】
点検口は分岐筒部とは別に設けてもよいが、あらかじめ分岐筒部を多めに設けておき、その一部を点検口として用いるようにしてもよい。点検口には着脱可能にキャップや蓋を装着しておけばよい。また、使用しない分岐筒部はキャップや蓋にて着脱可能に閉塞しておけばよい。さらに、分岐筒部の突出方向は、継手本体の軸芯に対して直交していても、あるいは傾斜していてもよい。管継手の材質は、硬質塩化ビニル樹脂やポリエチレン樹脂などの合成樹脂の他、ステンレスなどの金属製であってもよい。
【００１６】
本発明において、排水枝管は内面が平滑で可撓性を有するものであれば、特にその材質は限定されず、たとえば塩化ビニル樹脂製あるいはポリエチレン樹脂製の波付管や蛇腹ホースなどの可撓性管を挙げることができる。
【００１７】
本発明において、さや管の材質としては、硬質塩化ビニル樹脂やポリエチレンなどの合成樹脂の他、ステンレスや鉄などを挙げることができる。
【００１８】
本発明において、支持材としては、水膨張ゴム、バックアップリング、止水剤を挙げることができる。また、さや管の端部外周面に補強リブを設けて支持材としてもよい。
【００１９】
【発明の実施の形態】
以下、本発明の実施の形態を図面を参照して説明する。
【００２０】
図１は本発明の住宅用排水システムの一実施形態を模式的に示す説明図、図２は図１の要部を示す縦断面図、図３は図１の他の要部を示す説明図である。
【００２１】
この住宅排水システムは、図１および図２に示すように、建物２内に設置された各排水設備２１〜２５にそれぞれ上流側一端部が接続された排水枝管５，５Ａと、排水枝管５と排水枝管５Ａとを接続している点検口付きの管継手１０と、建物２の外周基礎４に形成されたボイド孔４ａの外面側に一端部が開口されるとともに、他端部が建物２の外周基礎４の内側の床下の上面に開口された状態で防湿コンクリート４１に埋設されたさや管８と、このさや管８内に挿通された排水枝管５の他端部が接続され、建物２の外周基礎４の外側地中に埋設された４個の排水桝６と、これらの排水桝６と排水主管３を介して接続された公共桝７とから構成されている。そして、さや管８の上端開口から建物２の床下空間に立ち上がり、各排水設備２１〜２５の流出側接続部に至るまでの排水枝管５，５Ａは床下空間Ｓに露出配管されている。
【００２２】
この実施例の場合、排水設備２１はトイレ、排水設備２２は洗面所、排水設備２３は洗濯機、排水設備２４は浴室、排水設備２５は台所である。このうち、三箇所の排水設備２２，２３，２４は、図１に示すように、中基礎４２で区切られた同一区分に設置されており、排水設備２２，２３，２４に接続されている３本の排水枝管５Ａのそれぞれの流出側端部は、図３に示すように、管継手１０の流入側接続部と接続されている。
【００２３】
管継手１０は六方継手タイプのものであり、図４に示すように、円筒状の継手本体１１と、この継手本体１１の側壁の４箇所から一体に突設された４個の円筒状の分岐部１２とから構成されている。継手本体１１の両端部は受口１１１とされ、分岐部１２はすべて受口とされている。４個の分岐部１２の内、継手本体１１の上面から斜め４５度方向に突設された２個が点検口を兼ねており、この点検口にはキャップ体（図示せず）が着脱可能に装着されている。管継手１０は建物の床下にたとえば管支持台を介して設置されている。なお、この管支持台は管継手１０が所定の排水勾配を出せるようになっている。
【００２４】
上記実施例の場合、排水桝６、排水主管３およびさや管８は硬質塩化ビニル樹脂製のものである。また、排水枝管５は、内周面が平滑で、外周面に山部５１と谷部５２が交互に軸心方向に沿って平行に連続して形成されたポリエチレン樹脂製の波付管である。この場合、山部５１が高密度ポリエチレン樹脂からなり、谷部５２が低密度ポリエチレン樹脂からなっている。なお、排水枝管５Ａも排水枝管５と同一のポリエチレン樹脂製の波付管である。
【００２５】
３本の排水枝管５の流出側の端部内周には、図６に示すように、接続用ソケット５ａの差口５１ａが嵌合され、接続用ソケット５ａの受口５２ａ外周と、排水枝管５の端部外周との間に跨がって、固定リング５ｂがたとえば射出成形されて抜け止め状態で嵌合固着されている。この場合、接続用ソケット５ａは硬質塩化ビニル樹脂製のものであり、固定リング５ｂはポリエチレン樹脂製のものである。３本の排水枝管５の流入側の端部内周にも上記と同様にして接続用ソケット５ａが嵌合固着されている。
【００２６】
３本の排水枝管５Ａの流入側の端部内周には、図６と同様に、接続用ソケット５ａの差口５１ａが嵌合され、接続用ソケット５ａの受口５２ａ外周と、排水枝管５の端部外周との間に跨がって、固定リング５ｂが抜け止め状態で嵌合固着されている。一方、３本の排水枝管５Ａの流出側の端部内周にも、同様にして、接続用ソケットａの差口５１ａが嵌合され、固定リング５ｂにて抜け止め状態で嵌合固着されているが、この場合、管継手１０の流入側接続部と接続される接続用ソケット５ａの端部は受口に代えて差口とされている。
【００２７】
そして、図２および図６に示すように、さや管８を通して屋外に延設された３本の排水枝管５の各流出側端部の受口５２ａはそれぞれ短管３２、９０度エルボ継手３１、短管３２および９０度エルボ継手３１を介して各排水桝６の流入側受け口６１に接続されている。そして、排水桝６の流出側受け口６２に排水主管３の一端部が接続され、この排水主管３の他端部が排水桝６あるいは公共桝７の流入側接続部と接続されている。さらに、排水桝６の上端受口６３には短管６４の下端部が接続され、この短管６４の上端開口に掃除口用の蓋体６５が着脱自在に装着されている。なお、短管３２、９０度エルボ継手３１、短管６４は硬質塩化ビニル樹脂製のものである。
【００２８】
したがって、排水設備２１，２５からの排水は、排水枝管５、９０度エルボ継手３１、短管３２および９０度エルボ継手３１を経て各排水桝６に流れ込み、この各排水桝６に流れ込んだ排水は、排水桝６，６間を接続している宅地１内の排水主管３を通じて公共桝７に流れ込み、この公共桝７を経て公道下に埋設された下水本管へ排水される。
【００２９】
また、排水設備２２，２３および２４からの排水は各排水枝管５Ａを経て管継手１０に流れ込み、この管継手１０に流れ込んで合流した排水は、管継手１０の流出側受口１１１と排水桝６の流入側受口６１との間を接続している排水枝管５を通じて排水桝６に流れ込む。そして、この排水桝６に流れ込んだ排水は、排水桝６，６間を接続している宅地１内の排水主管３を通じて公共桝７に流れ込み、この公共桝７を経て公道下に埋設された下水本管へ排水される。
【００３０】
この場合、３本の排水枝管５の流出側端部がさや管８内を挿通して排水桝６に接続されており、しかも、さや管８の上端開口から建物２の床下空間に立ち上がり、各排水設備２１〜２５の流出側接続部に至るまでの排水枝管５は床下空間Ｓに露出配管されているので、排水枝管５内の点検や清掃、あるいは排水枝管５の補修や取り替えを容易に行うことができる。
【００３１】
そして、さや管９は、３本の各排水枝管５をその内部に円滑に延設することができるように、外周基礎４のボイド孔４ａに予め設定された姿勢で固定されて防湿コンクリート４１に埋設されている。具体的には、図２に示すように、外周基礎４のボイド孔４ａは、さや管８の外径よりも大きく、さや管８をボイド孔４ａに差し込むだけでは、さや管８は回転して一定の姿勢に保つことが困難である。このため、防湿コンクリート４１の打設に先立って、外周基礎４のボイド孔４ａに、たとえば水膨張ゴムなどの支持材９を介して、さや管の一端部を設定された姿勢に固定しておくのがよい。
【００３２】
したがって、さや管８を外周基礎４にあらかじめ設定姿勢で簡単確実に固定することができるので、打設した防湿コンクリート４１が硬化するまでの間、さや管８を外周基礎４に設定された姿勢に保持しておく必要がなく、そのまま防湿コンクリート４１を打設すればよく、施工性が向上する。このようにして、防湿コンクリート４１に設定された姿勢で埋設されたさや管８に、各排水設備２１〜２５に接続された排水枝管５を円滑に導くことができる。
【００３３】
上記実施例では、点検口付きの管継手１０として、継手本体１１の側壁から分岐部１２が斜めに突設したものを用いたが、図５に示すように、継手本体１１の側壁から真横および真上に分岐部１２を突設したものを用いてもよい。また、分岐部１２は少なくとも２個あればよい。
【００３４】
また、排水管路を構成している排水主管３や排水桝６はポリエチレン樹脂製のものであってもよい。その際、接続方式としては、ゴム輪方式、融着方式、溶着方式などを採用すればよい。
【００３５】
さらに、上記実施例では、外周基礎４を布基礎としたが、この布基礎に代えてベタ基礎とすることも可能であり、その際、防湿コンクリート４１が基礎スラブに対応することになる。
【００３６】
また、上記実施例では、三箇所の排水設備２２，２３，２４と管継手１０との間を接続する排水枝管５Ａとして、ポリエチレン樹脂製の波付管を用いたが、硬質塩化ビニル樹脂管を用いることも可能である。さらに、管継手１０を透明な硬質塩化ビニル樹脂製のものとすることで、この管継手の外から内部の点検などを行える。
【００３７】
【発明の効果】
請求項１ないし２記載の本発明においては、内面が平滑で可撓性を有する排水枝管の接続が、１個の流出側接続部と１個の流入側接続部からなる継手本体の側壁から相対向して突設された分岐筒部同士が間隔をあけて複数有する管継手の、一方の分岐筒部を上方に、他方を側方に配置して建物の床下に設置され、前記排水枝管は前記流入側接続部と前記相対向した分岐筒部のうちの側方に突設された一方に接続され、上方に突設された他方の分岐筒部は点検口とされると共に、該分岐筒部の口径は継手本体の口径の１／２〜３／４とされているので、つまり、複数の排水設備にて発生した雑排水が各排水枝管を通じて管継手内に流れ込み、管継手内にて合流したのち、管継手の流出側接続部と接続されている排水枝管を通じて排水桝に流れ込むため、建物の外周基礎に設ける貫通孔は少なくて済む。
【００３８】
また、管継手本体の上方に突設された分岐筒部が点検口を兼ねているので、この点検口を利用して、排水枝管内の点検や清掃を作業性よく行える。さらに、排水枝管が床下空間に露出配管されているので、排水枝管が破損しても、建物の床下空間を利用して、排水枝管の補修や取り替えを容易に行える。
【００３９】
さらに、管継手本体の流出側に接続された排水枝管が、一端部は外周基礎の外面に開口するとともに、他端部は打設される防湿コンクリートまたは基礎スラブに埋設されて床下の上面に開口するさや管内に挿通されているので、排水枝管の保守や補修、更新などを容易に行える。また、所定長さの排水枝管を用いて各排水設備と排水桝との間の配管接続を行える。その際、管継手を介して接続される排水枝管を除いた他の排水枝管の接続個所は２箇所でよく、配管施工に要する工数が少なくて済む。
【００４０】
請求項２記載の本発明においては、さや管に排水枝管を円滑に導くことができるように、さや管を外周基礎に対して予め設定された姿勢に固定した状態で床下の防湿コンクリートまたは基礎スラブを打設することができ、容易に施工することができる。
【図面の簡単な説明】
【図１】本発明の住宅用排水システムの一実施形態を模式的に示す説明図である。
【図２】図１の要部を示す縦断面図である。
【図３】図１の他の要部を示す説明図である。
【図４】図３における管継手を示す正面図および右側面図である。
【図５】図４の管継手の変形例を示す正面図である。
【図６】図２の要部を示す半縦断面図である。
【図７】従来の住宅用排水システムを模式的に示す説明図である。
【符号の説明】
１  宅地
２  建物
２１，２２，２３，２４，２５  排水設備
３  排水主管
４  外周基礎
４ａ  ボイド孔
４１  防湿コンクリート
４２  中基礎
Ｓ  床下空間
５，５Ａ  排水枝管
６  排水桝
６１  流入側接続部
７  公共桝
８  さや管
９  支持材
１０  点検口付き管継手
１１  継手本体
１１１  受口
１２  分岐部（点検口）
【図１】
0004751549.tif 000002
【図２】
0004751549.tif 000003
【図３】
0004751549.tif 000004
【図４】
0004751549.tif 000005
【図５】
0004751549.tif 000006
【図６】
0004751549.tif 000007
【図７】
0004751549.tif 000008